(57)【要約】      （修正有）【課題】ユーザが入力装置を容易に操作することによってディスプレイ装置の動作を制御するように設けられたディスプレイ装置を提供する。【解決手段】ディスプレイ装置の入力装置は、タッチを感知するタッチセンサーと、入力装置の動きを感知するモーションセンサーと、ディスプレイ装置と通信する通信部と、モーションセンサーによって前記動きが感知されればディスプレイ装置に表示されている映像がスクロールされるように通信部を通じて該当動きに対応する第１制御信号を送信し、タッチセンサーを通じてタッチが感知されればスクロールされた映像内でオブジェクトが移動するように通信部を通じてタッチセンサーを通じる該当タッチに対応する第２制御信号を送信する制御部と、を含む。【選択図】図５
2013143775.tif 000002
【特許請求の範囲】
【請求項１】
ディスプレイ装置の入力装置において、
タッチを感知するタッチセンサーと；
前記入力装置の動きを感知するモーションセンサーと；
前記ディスプレイ装置と通信する通信部と；
前記モーションセンサーによって前記動きが感知されれば前記ディスプレイ装置に表示されている映像がスクロールされるように前記通信部を通じて前記動きに対応する第１制御信号を送信し、前記タッチセンサーを通じて前記タッチが感知されれば前記スクロールされた映像内でオブジェクトが移動するように前記タッチセンサーを通じる前記タッチに対応する第２制御信号を前記通信部を通じて送信する制御部と；を含むことを特徴とする入力装置。
【請求項２】
前記映像は、選択可能な複数のアイテムを含み、
前記オブジェクトは、前記複数のアイテムの中で何れか一つのアイテムに対するハイライトインジケーター及び前記何れか一つのアイテムを指示するカーソルの中で何れか一つを含むことを特徴とする請求項１に記載の入力装置。
【請求項３】
前記モーションセンサーは、既設定された３軸座標系上の前記入力装置の動きを感知することを特徴とする請求項１に記載の入力装置。
【請求項４】
前記制御部は、前記タッチセンサーがタッチされた状態で前記第１制御信号を生成することを特徴とする請求項１に記載の入力装置。
【請求項５】
前記制御部は、前記タッチセンサー上でのドラッグ動作に対応して前記第２制御信号を生成することを特徴とする請求項１に記載の入力装置。
【請求項６】
前記制御部は、チャンネル選局のためのチャンネル番号目録の映像が前記ディスプレイ装置に円形で表示されている場合に、前記タッチセンサーによる前記タッチの感知及び前記モーションセンサーによる前記動きの感知の中で少なくとも一つが発生すれば、前記チャンネル番号目録が回転するように前記通信部を通じて前記感知された情報を前記ディスプレイ装置に送信し、
前記感知された動き情報による回転は、前記感知されたタッチ情報による回転より大きい単位で前記チャンネル番号目録を回転させることを特徴とする請求項１に記載の入力装置。
【請求項７】
前記感知された情報は、前記入力装置の回転角度を含むことを特徴とする請求項６に記載の入力装置。
【請求項８】
前記制御部は、前記モーションセンサーによって前記入力装置の回転角度が初期値に復帰したと感知されれば、前記チャンネル番号目録の回転を中止させるコマンドを生成して前記通信部を通じて送信することを特徴とする請求項７に記載の入力装置。
【請求項９】
ディスプレイ装置において、
ディスプレイ部と；
所定の映像が前記ディスプレイ部に表示されるように処理する映像処理部と；
タッチを感知するタッチセンサー及び自らの動きを感知するモーションセンサーを含む入力装置と通信する通信部と；
前記通信部に受信される前記モーションセンサーによる前記入力装置の動き情報に対応して前記映像をスクロールさせ、前記通信部に受信される前記タッチセンサーによるタッチ情報に対応して前記スクロールされた映像内のオブジェクトを移動させる制御部と；を含むことを特徴とするディスプレイ装置。
【請求項１０】
前記映像は、選択可能な複数のアイテムを含み、
前記オブジェクトは前記複数のアイテムの中で何れか一つのアイテムに対するハイライトインジケーター及び前記何れか一つのアイテムを指示するカーソルの中で何れか一つを含むことを特徴とする請求項９に記載のディスプレイ装置。
【請求項１１】
前記タッチセンサーによる前記タッチ情報は、前記タッチセンサー上でのドラッグ動作に対応することを特徴とする請求項９に記載のディスプレイ装置。
【請求項１２】
前記制御部は、チャンネル選局のためのチャンネル番号目録の映像を前記ディスプレイ部に円形で表示した状態で、前記入力装置から前記タッチセンサーによる前記タッチの感知及び前記モーションセンサーによる前記動きの感知の中で少なくとも一つに関する情報を受信すれば、前記受信された情報に対応して前記チャンネル番号目録を回転させ、
前記感知された動き情報による回転は、前記感知されたタッチ情報による回転より大きい単位で前記チャンネル番号目録を回転させることを特徴とする請求項９に記載のディスプレイ装置。
【請求項１３】
前記受信された情報は、前記入力装置の回転角度を含むことを特徴とする請求項１２に記載のディスプレイ装置。
【請求項１４】
前記受信された情報は、前記入力装置の回転方向又は前記タッチによるドラッグ方向をさらに含むことを特徴とする請求項１３に記載のディスプレイ装置。
【請求項１５】
前記制御部は、前記モーションセンサーによって前記入力装置の回転角度が初期値に復帰したと感知されれば、前記チャンネル番号目録の回転を中止させることを特徴とする請求項１３に記載のディスプレイ装置。
【発明の詳細な説明】
【技術分野】
【０００１】
本発明は、映像信号を処理して映像を表示するディスプレイ装置、入力装置及びこの制御方法に係り、さらに詳しくは、ユーザが入力装置による操作に従ってディスプレイ装置で映像の表示形態を制御する構造のディスプレイ装置、入力装置及びこの制御方法に関する。
【背景技術】
【０００２】
一般的に、ディスプレイ装置は、外部の映像供給源から入力されたり、又は自体的に保存されている映像信号／映像データを処理して、ディスプレイ部上に映像で表示する装置である。一般のユーザに提供されるディスプレイ装置は、ＴＶ又はモニター等で具現され、例えば、ＴＶで具現されたディスプレイ装置は、外部から受信される放送信号をチューニング、デコーディング等のような多様なプロセスによってユーザーの望む放送チャンネルの映像を提供する。
【０００３】
ディスプレイ装置は、提供する映像に対する処理方法を含む多様な機能に対して該当機能をユーザが任意で設定することができるようにする入力装置を備える。このような入力装置は、ディスプレイ装置の外側に設けられたり、又はディスプレイ装置と分離された別途の装置で具現されることができるところ、後ではリモート
コントローラー（ｒｅｍｏｔｅ  ｃｏｎｔｒｏｌｌｅｒ）を例えて説明する。
ここで、入力装置のユーザの操作性を考慮して多様な形態の入力部を有することができるところ、例えば、入力部は、ユーザによって加圧又はトグル（ｔｏｇｇｌｅ）される複数のキー（ｋｅｙ）／ボタン（ｂｕｔｔｏｎ）を含む。ユーザがこのようなボタンを操作すれば、入力装置は該当ボタンに対応する制御信号を生成してディスプレイ装置に送信する。これによって、ディスプレイ装置は、入力装置から受信される制御信号に対応するように既設定された制御動作を行う。
【発明の概要】
【発明が解決しようとする課題】
【０００４】
従って、本発明の目的は、ユーザが入力装置を容易に操作することによってディスプレイ装置の動作を制御するように設けられたディスプレイ装置を提供することを目的とする。
【課題を解決するための手段】
【０００５】
本発明の実施形態によるディスプレイ装置の入力装置は、タッチを感知するタッチセンサーと；前記入力装置の動きを感知するモーションセンサーと；前記ディスプレイ装置と通信する通信部と；前記モーションセンサーによって前記動きが感知されれば前記ディスプレイ装置に表示されている映像がスクロールされるように前記通信部を通じて前記動きに対応する第１制御信号を送信し、前記タッチセンサーを通じて前記タッチが感知されれば前記スクロールされた映像内でオブジェクトが移動するように前記通信部を通じて前記タッチセンサーを通じる前記タッチに対応する第２制御信号を送信する制御部と；を含むことを特徴とする。
【０００６】
ここで、前記映像は選択可能な複数のアイテムを含み、前記オブジェクトは前記複数のアイテムの中で何れか一つのアイテムに対するハイライトインジケーター及び前記何れか一つのアイテムを指示するカーソルの中で何れか一つを含むことができる。
【０００７】
また、前記モーションセンサーは、既設定された３軸座標系上の前記入力装置の動きを感知することができる。
【０００８】
また、前記制御部は、前記タッチセンサーがタッチされた状態で前記第１制御信号を生成することができる。また、前記制御部は、前記タッチセンサー上でのドラッグ動作に対応して前記第２制御信号を生成することができる。
【０００９】
また、前記制御部は、チャンネル選局のためのチャンネル番号目録の映像が前記ディスプレイ装置に円形で表示されている場合に、前記タッチセンサーによる前記タッチの感知及び前記モーションセンサーによる前記動きの感知の中で少なくとも一つが発生すれば、前記チャンネル番号目録が回転するように前記通信部を通じて前記感知された情報を前記ディスプレイ装置に送信し、前記感知された動き情報による回転は、前記感知されたタッチ情報による回転より大きい単位で前記チャンネル番号目録を回転させることができる。
【００１０】
ここで、前記感知された情報は、前記入力装置の回転角度を含むことができる。ここで、前記感知された情報は、前記入力装置の回転方向又は前記タッチによるドラッグ方向をさらに含むことができる。
【００１１】
また、前記制御部は、前記モーションセンサーによって前記入力装置の回転角度が初期値に復帰したと感知されれば、前記チャンネル番号目録の回転を中止させるコマンドを生成して前記通信部を通じて送信することができる。
【００１２】
また、本発明の実施形態によるディスプレイ装置は、ディスプレイ部と；所定の映像が前記ディスプレイ部に表示されるように処理する映像処理部と；タッチを感知するタッチセンサー及び自らの動きを感知するモーションセンサーを含む入力装置と通信する通信部と；前記通信部に受信される前記モーションセンサーによる前記入力装置の動き情報に対応して前記映像をスクロールさせ、前記通信部に受信される前記タッチセンサーによるタッチ情報に対応して前記スクロールされた映像内のオブジェクトを移動させる制御部と；を含むことを特徴とする。
【００１３】
ここで、前記映像は選択可能な複数のアイテムを含み、前記オブジェクトは前記複数のアイテムの中で何れか一つのアイテムに対するハイライトインジケーター及び前記何れか一つのアイテムを指示するカーソルの中で何れか一つを含むことができる。
【００１４】
また、前記動き情報は、既設定された３軸座標系上の前記入力装置の動きに関する情報を含むことができる。また、前記タッチセンサーによる前記タッチ情報は、前記タッチセンサー上でのドラッグ動作に対応することができる。
【００１５】
また、前記制御部は、チャンネル選局のためのチャンネル番号目録の映像を前記ディスプレイ部に円形で表示した状態で、前記入力装置から前記タッチセンサーによる前記タッチの感知及び前記モーションセンサーによる前記動きの感知の中で少なくとも一つに関する情報を受信すれば、前記受信された情報に対応して前記チャンネル番号目録を回転させ、前記感知された動き情報による回転は、前記感知されたタッチ情報による回転より大きい単位で前記チャンネル番号目録を回転させることができる。
【００１６】
ここで、前記受信された情報は、前記入力装置の回転角度を含むことができる。ここで、前記受信された情報は、前記入力装置の回転方向又は前記タッチによるドラッグ方向をさらに含むことができる。
【００１７】
また、前記制御部は、前記モーションセンサーによって前記入力装置の回転角度が初期値に復帰したと感知されれば、前記チャンネル番号目録の回転を中止させることができる。
【００１８】
また、本発明の実施形態によるディスプレイ装置の入力装置の制御方法は、前記入力装置の動きを感知する段階と；前記ディスプレイ装置に表示されている映像がスクロールされるように、前記入力装置の前記動きに対応する第１制御信号を前記ディスプレイ装置に送信する段階と；前記入力装置のタッチセンサーがタッチされれば前記スクロールされた映像内のオブジェクトが移動するように前記タッチセンサーを通じる前記タッチに対応する第２制御信号を前記ディスプレイ装置に送信する段階と；を含むことを特徴とする。
【００１９】
ここで、前記映像は選択可能な複数のアイテムを含み、前記オブジェクトは前記複数のアイテムの中で何れか一つのアイテムに対するハイライトインジケーター及び前記何れか一つのアイテムを指示するカーソルの中で何れか一つを含むことができる。
【００２０】
また、チャンネル選局のためのチャンネル番号目録の映像が前記ディスプレイ装置に円形で表示されている場合に、前記タッチセンサーに対するタッチ又は前記入力装置の動きの中で少なくとも一つを感知する段階と；前記感知された前記タッチセンサーに対するタッチ又は前記入力装置の動きの中で少なくとも一つの情報に従って前記チャンネル番号目録が回転するように、前記感知された情報を前記ディスプレイ装置に送信する段階と；をさらに含み、前記感知された動き情報による回転は、前記感知されたタッチ情報による回転より大きい単位で前記チャンネル番号目録を回転させることができる。
【００２１】
また、本発明の実施形態によるディスプレイ装置の制御方法は、所定の映像を表示する段階と；タッチを感知するタッチセンサー及び自らの動きを感知するモーションセンサーを含む入力装置から受信される前記入力装置の動き情報に対応して前記映像をスクロールさせる段階と；前記入力装置から受信される前記タッチセンサーによるタッチ情報に対応して前記スクロールされた映像内のオブジェクトを移動させる段階と；を含むことを特徴とする。
【００２２】
ここで、前記映像は選択可能な複数のアイテムを含み、前記オブジェクトは前記複数のアイテムの中で何れか一つのアイテムに対するハイライトインジケーター及び前記何れか一つのアイテムを指示するカーソルの中で何れか一つを含むことができる。
【００２３】
また、チャンネル選局のためのチャンネル番号目録の映像を表示する段階と；前記入力装置から前記タッチセンサーによる前記タッチの感知及び前記モーションセンサーによる前記動きの感知の中で少なくとも一つに関する情報を受信すれば、前記受信された情報に対応して前記チャンネル番号目録を回転させる段階をさらに含み、前記感知された動き情報による回転は、前記感知されたタッチ情報による回転より大きい単位で前記チャンネル番号目録を回転させることができる。
【発明の効果】
【００２４】
ユーザが入力装置を容易に操作することによってディスプレイ装置の動作を制御するように設けられたディスプレイ装置を提供することができる。
【図面の簡単な説明】
【００２５】
【図１】本発明の第１実施形態によるディスプレイシステムの例示図である。
【図２】図１のディスプレイシステムの構成ブロック図である。
【図３】図１のディスプレイシステムで、ディスプレイ装置に表示されるＵＩ映像の例示図である。
【図４】図３のＵＩ映像を下側にスクロール移動させたことを示す例示図である。
【図５】図１のディスプレイシステムで、入力装置の操作方式に対応してディスプレイ装置の映像表示を制御する過程を示す順序図である。
【図６】本発明の第２実施形態によるディスプレイ装置でディスプレイ部の有効表示領域を基準として映像の大きさを調節する例示を示す概念図である。
【図７】図６に示す映像を有効表示領域を基準としてパンニング動作を行う例示図である。
【図８】本発明の第２実施形態に従って入力装置の操作方式に対応してディスプレイ装置の映像表示を制御する過程を示す順序図である。
【図９】本発明の第３実施形態によるディスプレイ装置が表示するＵＩ映像の例示図である。
【図１０】図９のＵＩ映像が時計方向又は反時計方向に回転する場合を示す例示図である。
【図１１】図９のＵＩ映像が時計方向又は反時計方向に回転する場合を示す例示図である。
【図１２】図９のＵＩ映像に対して、ユーザが入力装置にタッチ入力を行う場合にＵＩ映像の動作を示す例示図である。
【図１３】本発明の第３実施形態によるディスプレイシステムの制御方法を示すフローチャートである。
【図１４】本発明の第３実施形態によるディスプレイシステムの制御方法を示すフローチャートである。
【発明を実施するための形態】
【００２６】
以下、添付図面を参照して本発明に対して詳しく説明する。以下の実施形態では、本発明の思想と直接的に関連のある構成に対してだけ説明し、その他の構成に対しては説明を省略する。しかし、本発明の思想が適用された装置またはシステムを具現することにおいて、このように説明が省略された構成が不必要を意味することではないことを明らかにする。
【００２７】
図１は、本発明の第１実施形態によるディスプレイシステム１の例示図である。図１に示すように、本実施形態によるディスプレイシステム１は、映像信号を既設定された映像処理プロセスに従って処理して映像で表示するディスプレイ装置１００と、ディスプレイ装置１００の多様な動作を遠隔で制御できるように既設定されたコマンド（ｃｏｍｍａｎｄ）／データ（ｄａｔａ）／情報／信号を生成してディスプレイ装置１００に送信する入力装置２００と、を含む。
【００２８】
本実施形態で、ディスプレイ装置１００は、外部の映像供給源（図示せず）から受信されたり又は自体的に保存されている映像信号／映像データ／映像情報に基づいて自体的に映像を表示できるＴＶで具現され、入力装置２００は、リモートコントローラー（ｒｅｍｏｔｅ  ｃｏｎｔｒｏｌｌｅｒ）で具現される。
【００２９】
しかし、本発明の思想は、このような具現例示と異なるディスプレイ装置１００の構造、例えば、ディスプレイ装置１００がコンピュータ本体（図示せず）に接続されたモニターであり、入力装置２００が該当コンピュータ本体（図示せず）と通信するシステムである場合にも適用されることができる。即ち、以下説明する実施形態は、システムの具現方式に従って多様に変更適用される一つの例示に過ぎず、本発明の思想を限定する事項ではないことを明らかにする。
【００３０】
ディスプレイ装置１００は、表示可能な映像の種類は限られず、例えば、ディスプレイ装置１００は、動画、停止映像、アプリケーション（ａｐｐｌｉｃａｔｉｏｎ）、ＯＳＤ（ｏｎ−ｓｃｒｅｅｎ  ｄｉｓｐｌａｙ）、多様な動作制御のためのＧＵＩ（ｇｒａｐｈｉｃ  ｕｓｅｒ  ｉｎｔｅｒｆａｃｅ）等の映像を表示することができる。
【００３１】
入力装置２００は、ディスプレイ装置１００と無線通信をすることができるし、ユーザによって操作される外部装置としてユーザによって把持される。入力装置２００は、ユーザの操作に対応するように既設定されたコマンド／制御信号／情報をディスプレイ装置１００に送信する。
【００３２】
ここで、入力装置２００はこのようなコマンドを生成するようにユーザの操作が行われる多様な形態の入力部を含むことができるところ、本実施形態によれば、ユーザによってタッチ（ｔｏｕｃｈ）されるタッチセンサー２１０を含む。ただし、これは本実施形態を簡単に説明するためにタッチセンサー２１０に対してだけ説明することで、入力装置２００がユーザ操作のための入力部としてタッチセンサー２１０の構成だけを含むことを意味することではない。
【００３３】
入力装置２００は、タッチセンサー２１０に対するユーザの操作形態、例えば、タッチ、ドラッグ（ｄｒａｇ）、タップ（ｔａｐ）動作に対応して多様に既設定されたコマンドを生成し、この生成されたコマンドをディスプレイ装置１００に送信する。ディスプレイ装置１００は、入力装置２００から受信されるコマンドに対応する制御動作を行う。
【００３４】
以下、ディスプレイ装置１００及び入力装置２００の具体的な構成に対して図２を参照して説明する。図２はディスプレイ装置１００及び入力装置２００の構成ブロック図である。図２に示すように、ディスプレイ装置１００は、映像信号を受信する映像受信部１１０と、映像受信部１１０に受信される映像信号を処理する映像処理部１２０と、映像処理部１２０によって処理される映像信号を映像で表示するディスプレイ部１３０と、入力装置２００と通信する第１通信部１４０と、ディスプレイ装置１００の諸般構成の動作を制御する第１制御部１５０と、を含む。
【００３５】
一方、入力装置２００は、ユーザによるタッチを感知するタッチセンサー２１０と、ディスプレイ装置１００の第１通信部１４０と通信する第２通信部２２０と、入力装置２００の動きを感知するモーションセンサー２３０と、入力装置２００の諸般構成の動作を制御する第２制御部２４０と、を含む。
【００３６】
以下、ディスプレイ装置１００に含まれた構成に対して具体的に説明する。
【００３７】
映像受信部１１０は、映像供給源（図示せず）から有線／無線で映像信号を受信して映像処理部１２０に伝達し、受信する映像信号の規格及びディスプレイ装置１００の具現方式に対応して多様な方式を有する。例えば、映像受信部１１０は、ＨＤＭＩ（ｈｉｇｈ  ｄｅｆｉｎｉｔｉｏｎ  ｍｕｌｔｉｍｅｄｉａ  ｉｎｔｅｒｆａｃｅ）規格に従ってデジタル映像信号を受信したり、ストリーミングサーバー（図示せず）からの映像データパケットストリームを受信することができる。
【００３８】
映像処理部１２０は、映像受信部１１０から受信される映像信号に対して既設定された多様な映像処理プロセスを行う。映像処理部１２０は、このようなプロセッサを行う映像信号をディスプレイ部１３０に出力することによって、ディスプレイ部１３０に該当映像信号に基づく映像が表示されることになる。
【００３９】
映像処理部１２０が行う映像処理プロセスの種類は限られず、例えば、映像信号の映像フォーマットに対応するデコーディング（ｄｅｃｏｄｉｎｇ）、インターレース（ｉｎｔｅｒｌａｃｅ）方式の映像信号をプログレッシブ（ｐｒｏｇｒｅｓｓｉｖｅ）方式で変換するディ−インタレーシング（ｄｅ−ｉｎｔｅｒｌａｃｉｎｇ）、映像信号を既設定された解像度で調整するスケーリング（ｓｃａｌｉｎｇ）、映像画質改善のためのノイズ減少（ｎｏｉｓｅ  ｒｅｄｕｃｔｉｏｎ）、ディテール強化（ｄｅｔａｉｌ  ｅｎｈａｎｃｅｍｅｎｔ）、フレームリフレッシュレート（ｆｒａｍｅ  ｒｅｆｒｅｓｈ  ｒａｔｅ）変換等を含むことができる。
【００４０】
映像処理部１２０は色々な機能を統合させたＳＯＣ（ｓｙｓｔｅｍ−ｏｎ−ｃｈｉｐ）、又はこのような各プロセスを独自的に行うことができる個別的な構成が印刷回路基板上に装着されることによって映像処理ボード（図示せず）で具現される。
【００４１】
ディスプレイ部１３０は、映像処理部１２０から出力される映像信号に基づいて映像を表示する。ディスプレイ部１３０の具現方式は限られず、液晶（ｌｉｑｕｉｄ  ｃｒｙｓｔａｌ）、プラズマ（ｐｌａｓｍａ）、発光ダイオード（ｌｉｇｈｔ−ｅｍｉｔｔｉｎｇ  ｄｉｏｄｅ）、有機発光ダイオード（ｏｒｇａｎｉｃ  ｌｉｇｈｔ−ｅｍｉｔｔｉｎｇ  ｄｉｏｄｅ）、面伝導電子銃（ｓｕｒｆａｃｅ−ｃｏｎｄｕｃｔｉｏｎ  ｅｌｅｃｔｒｏｎ−ｅｍｉｔｔｅｒ）、炭素ナノチューブ（ｃａｒｂｏｎ  ｎａｎｏ−ｔｕｂｅ）、ナノクリスタル（ｎａｎｏ−ｃｒｙｓｔａｌ）等の多様なディスプレイ方式で具現されることができる。
【００４２】
ディスプレイ部１３０は、その具現方式に従って付加的な構成を追加的に含むことができる。例えば、ディスプレイ部１３０が液晶方式である場合、ディスプレイ部１３０は液晶ディスプレイパネル（図示せず）と、これに光を供給するバックライトユニット（図示せず）と、パネル（図示せず）を駆動させるパネル駆動基板（図示せず）と、を含む。
【００４３】
第１通信部１４０は、入力装置２００から受信されるコマンド／データ／情報／信号を第１制御部１５０に伝達する。本実施形態で第１通信部１４０は、入力装置２００からの信号を受信する一方向通信の例示に対してだけ説明したが、第１通信部１４０は第１制御部１５０から伝達されたコマンド／データ／情報／信号を入力装置２００に送信することもできる。このような場合、第１通信部１４０は、ディスプレイ装置１００及び入力装置２００の間の両方向通信を具現させるためにＲＦ（ｒａｄｉｏ  ｆｒｅｑｕｅｎｃｙ）、ジグビー（登録商標（Ｚｉｇｂｅｅ））、ブルートゥース等の無線通信規格による。
【００４４】
第１制御部１５０は第１通信部１４０に受信されるコマンドに対応してディスプレイ装置１００の動作を制御する。例えば、第１制御部１５０は、第１通信部１４０を通じて入力装置２００から既設定されたコマンドが受信されれば、このコマンドに対応して映像処理動作が行われるように映像処理部１２０を制御する。本実施形態では、制御部１５０及び映像処理部１２０が別個の構成で表示されたが、制御部１５０及び映像処理部１２０は一つの映像処理ボード（図示せず）で具現されることもできる。
【００４５】
以下、入力装置２００に含まれた構成に対して具体的に説明する。
【００４６】
タッチセンサー２１０は、入力装置２００外側にユーザによってタッチされるように設けられる。本実施形態によるタッチセンサー２１０は、タッチパッド（ｔｏｕｃｈ−ｐａｄ）で具現され、自体板面上の所定の位置で発生するユーザによるタッチ動作又はタップ動作と、タッチ以後に所定の方向及び距離で行われたユーザのドラッグ動作等のようなユーザの操作形態に従って、第２制御部２４０に対して対応情報を送信する。このような対応情報は、タッチ動作に対応するタッチ位置の座標や、ドラッグ動作に対応する移動方向及び移動量情報等を含む。
【００４７】
タッチセンサー２１０は、板面上をタッチする位置を感知するために多様な構成が適用されることができるところ、加圧力を感知する減圧式や、又は電荷値の変化を感知する停電式等が適用されることができる。
【００４８】
第２通信部２２０は、第２制御部２４０から伝達される制御信号又はコマンドを第１通信部１４０に送信する。このために第２通信部２２０は第１通信部１４０に対応する通信プロトコルに従って設けられる。第２通信部２２０は、第１通信部１４０に対する一方向送信だけでなく、第１通信部１４０との間に両方向通信が行われるように設けられることができる。
【００４９】
モーションセンサー２３０は、ユーザが把持している入力装置２００の動き、例えば、入力装置２００の現在の姿勢を基準として入力装置２００の傾き又は移動を感知する。モーションセンサー２３０は既設定された３軸座標系、即ち横、縦及び高さ又はＸ軸、Ｙ軸及びＺ軸による空間座標系上で入力装置２００の動きを感知する。このために、モーションセンサー２３０は、ジャイロセンサー、慣性センサー、加速度センサー等で具現されることができる。
【００５０】
第２制御部２４０は、タッチセンサー２１０を通じてユーザの操作が発生したり又はモーションセンサー２３０から入力装置２００の動きに関する情報が受信されれば、これに対応する既設定された制御信号を生成する。第２制御部２４０は、生成した制御信号を第２通信部２２０に伝達することによって、ディスプレイ装置１００が該当制御信号に対応する制御動作を行うようにする。
【００５１】
このような構造によって、ディスプレイ装置１００は多様な種類の映像を表示できるところ、例えば、第１制御部１５０は、ディスプレイ部１３０上に複数のアイテムを含むＵＩ映像を表示することができる。以下、ＵＩ映像が表示される場合を対象にして本発明の実施形態を説明するが、これは一つの例示に過ぎず、ディスプレイ部１３０に表示される映像の種類又は特性が本発明の思想を限定しない。
【００５２】
図３は、ディスプレイ部１３０上に表示されるＵＩ映像３００の例示図である。図３に示すように、ＵＩ映像３００は、選択可能な複数のアイテム３０１乃至３１２を含む。ディスプレイ部１３０の有効表示領域よりＵＩ映像３００が大きい場合、第１制御部１５０はＵＩ映像３００の一部領域をディスプレイ部１３０に表示する。現在の図面上に表示されたＵＩ映像３００は、このような一部領域だけが表示されたことである。
【００５３】
ＵＩ映像３００は、複数のアイテム３０１乃至３１２の中で何れか一つのアイテム３０１を選択する既設定されたオブジェクト４１０をさらに含む。オブジェクト４１０は、選択されたアイテム３０１と選択されなかった他のアイテム３０２乃至３１２を相互に区分できるようにするすべての構成を含むところ、アイテム３０１に対するハイライトインジケーター（ｈｉｇｈｌｉｇｈｔ  ｉｎｄｉｃａｔｏｒ）、カーソル（ｃｕｒｓｏｒ）、ポインタ（ｐｏｉｎｔｅｒ）等多様な方式で具現されることができる。
【００５４】
一方、現在表示されないＵＩ映像３００の残りの領域をディスプレイ部１３０に表示するために、第１制御部１５０はＵＩ映像３００をスクロール（ｓｃｒｏｌｌ）で移動させる。このようなスクロール移動は、入力装置２００からスクロール移動を指示するコマンドがディスプレイ装置１００に受信されることによって行われる。
【００５５】
図４は、図３のＵＩ映像を下側にスクロール移動させたことを示す例示図である。図４に示すように、ＵＩ映像３００が下側でスクロール移動することによって、図３に表示されなかったＵＩ映像３００の残り領域が表示される。また、これによって、ＵＩ映像３００で以前の図３の場合に表示されなかった複数のアイテム３１３乃至３２０が表示される。
【００５６】
これと共にスクロール移動したＵＩ映像３００でハイライトインジケーター４１０の移動を指示するコマンドが入力装置２００から受信されれば、第１制御部１５０は該当コマンドに対応してハイライトインジケーター４１０を所定のアイテム３１４に移動させる。
【００５７】
このように、第１制御部１５０は、入力装置２００から受信されるコマンド／制御信号に従って、ＵＩ映像３００のスクロール移動動作と、スクロール移動されたＵＩ映像３００内で既設定オブジェクト４１０、例えば、ハイライトインジケーター４１０の移動動作を行うことができる。
【００５８】
ここで、本実施形態によれば、前記のように入力装置２００からディスプレイ装置１００に送信される制御信号は次のような構成に従って生成及び送信される。
【００５９】
ユーザが入力装置２００を把持した状態で、入力装置２００の側では次のような動作が行われる。モーションセンサー２３０は、入力装置２００の動きを感知する。第２制御部２４０は、モーションセンサー２３０に感知された入力装置２００の動きに対応して既設定された第１制御信号を生成して第２通信部２２０を通じて送信し、タッチセンサー２１０を通じるユーザの操作が行われれば、これに対応して既設定された第２制御信号を生成して第２通信部２２０を通じて送信する。
【００６０】
第１制御信号は、入力装置２００の動きに関する情報、例えば、入力装置２００が傾いた方向又は傾いた角度や、初期位置から入力装置２００が移動する方向又は移動量等の情報を含む。
【００６１】
第２制御信号は、ユーザによるタッチセンサー２１０のタッチ又はタップ動作、タッチ又はタップ動作が行われたタッチセンサー２１０上の位置座標、ドラッグ動作による移動方向及び移動量等の情報を含む。
【００６２】
ディスプレイ装置１００側では次のような動作が行われる。第１制御部１５０は、第１通信部１４０に第１制御信号が受信されれば、これに対応してＵＩ映像３００をスクロール移動させる。第１制御部１５０は第２制御信号が受信されれば、スクロール移動した状態のＵＩ映像３００内でオブジェクト４１０を移動させる。
【００６３】
これによって、ユーザが入力装置２００を通じて容易にＵＩ映像３００の表示方式を変更させることができる。
【００６４】
このように、ユーザによる入力装置２００の操作方式に対応してディスプレイ装置１００の映像表示が制御される方法に対して、以下の図５を参照してさらに具体的に説明する。図５は、入力装置２００の操作方式に対応してディスプレイ装置１００の映像表示を制御する過程を示すフローチャートである。
【００６５】
図５に示すように、入力装置２００は、モーションセンサー２３０によって入力装置２００自体の動きを感知する（５１０）。ここで、入力装置２００は、特定条件、例えば、タッチセンサー２１０がタッチされている状態で動きを感知することによって、入力装置２００又はディスプレイ装置１００の誤作動を防止することができる。
【００６６】
一方、ディスプレイ装置１００は、既設定されたＵＩ映像３００を表示する（６１０）。
【００６７】
入力装置２００は、感知された動きに対応する動き情報又はモーション動作情報を生成してディスプレイ装置１００に送信する（５２０）。例えば、現在、入力装置２００がディスプレイ装置１００に向かう前方に所定の第１角度だけ傾いている場合、入力装置２００はこのような内容の動き情報を生成して送信する。
【００６８】
ディスプレイ装置１００は、入力装置２００から動き情報又はモーション動作情報を受信する（６２０）。ディスプレイ装置１００は、受信された動き情報に対応するようにＵＩ映像をスクロール移動させる（６３０）。動き情報及びＵＩ映像のスクロール移動の間の関係は、ディスプレイ装置１００に既保存されている。
【００６９】
例えば、入力装置２００が前方に第１角度だけ傾いていることを示す動き情報である場合、ディスプレイ装置１００は、入力装置２００が傾いている方向である前方方向に対応してＵＩ映像を下側にスクロール移動させるが、入力装置２００が傾いている角度である第１角度に対応する移動量だけＵＩ映像をスクロール移動させる。これは一つの例示に過ぎず、動き情報及びＵＩ映像のスクロール移動の間の関係は多様な設計変更適用が可能である。
【００７０】
入力装置２００は、ユーザがタッチパッドで具現されたタッチセンサー２１０に対するドラッグ動作を行ったと感知されれば（５３０）、このようなドラッグ動作に対応するドラッグ動作情報を生成してディスプレイ装置１００に送信する（５４０）。例えば、ユーザが初期タッチ位置で右側に第１移動量だけドラッグして移動した場合、入力装置２００はこのような内容のドラッグ動作情報を生成して送信する。
【００７１】
ディスプレイ装置１００は、入力装置２００からドラッグ動作情報を受信すれば（６４０）、前のプロセスでスクロール移動した状態のＵＩ映像内で既設定されたオブジェクト４１０をドラッグ動作情報に対応するように移動させる（６５０）。前述の動き情報及びＵＩ映像のスクロール移動の間の関係のように、ドラッグ動作情報及びオブジェクトの移動の間の関係もディスプレイ装置１００に既保存されている。
【００７２】
例えば、ディスプレイ装置１００は、ＵＩ映像内のカーソルを、ドラッグ方向と同じ方向に、ドラッグ移動量に対応するように既設定された移動量だけ移動させることができる。
【００７３】
一方、前述した第１実施形態では、入力装置２００の入力方式に従って映像に対するスクロール移動又は映像内オブジェクトの移動を選択的に制御する構成に対して説明したが、本発明の思想はこれに限られず、第１実施形態と異なる映像表示の制御具現実施形態に対して以下で説明する。
【００７４】
図６は本発明の第２実施形態によるディスプレイ装置１００でディスプレイ部１３０の有効表示領域７１０を基準として映像７２０、７３０、７４０の大きさを調節する例示を示す概念図である。図６に示すように、第１制御部１５０は、映像７２０をディスプレイ部１３０の有効表示領域７１０に表示する。ここで、有効表示領域７１０は、ディスプレイ部１３０上で映像を表示することができる領域を意味する。
【００７５】
所定のイベントに従って、第１制御部１５０は映像７２０の大きさを調整できるところ、これをズームイン（ｚｏｏｍ  ｉｎ）／ズームアウト（ｚｏｏｍ  ｏｕｔ）動作と言う。ズームイン動作を通じて、第１制御部１５０は映像７２０の大きさを縮小させることによってより小さい大きさの映像７３０に調整する。しかし、ズームアウト動作を通じて、第１制御部１５０は映像７２０の大きさを拡大させることによってより大きい大きさの映像７４０に調整する。
【００７６】
ここで、拡大された映像７４０は、有効表示領域７１０より大きいので、映像７４０の全体領域が表示されない。即ち、映像７４０で有効表示領域７１０内の領域だけが表示され、有効表示領域７１０以外の領域は表示されない。
【００７７】
万一、映像７４０の大きさを縮小させなくて、現在に表示されていなかった領域を表示しようとする場合、第１制御部１５０は有効表示領域７１０を基準として映像７４０に対するパンニング（ｐａｎｎｉｎｇ）動作を行う。
【００７８】
図７は、有効表示領域７１０を基準として映像７５０、７６０に対するパンニング動作を行う例示図である。図７に示すように、映像７５０は、有効表示領域７１０より大きい大きさを有するところ、現時点で有効表示領域７１０内の一部領域だけが表示される。
【００７９】
この時、有効表示領域７１０より大きい映像７５０に対して所定の方向へのパンニング動作イベントが発生すれば、第１制御部１５０は有効表示領域７１０を基準として映像７５０の位置を該当方向に移動させる（７７０）。このように移動した映像７６０は、映像７５０と比較して有効表示領域７１０内に含まれる領域が変化するところ、第１制御部１５０は有効表示領域７１０に対する映像７５０、７６０の相手位置を移動させることによって、一時点で表示されない映像７５０の一部領域が他時点で表示されるようにすることができる。このような映像７５０、７６０の制御動作をパンニング動作と言う。
【００８０】
第１制御部１５０は、入力装置２００から受信されるコマンド／制御信号に従ってこのような映像の大きさ調整動作及びパンニング動作を行う。本実施形態によれば、入力装置２００は、次のような構成に従ってディスプレイ装置１００に対して制御信号を生成及び送信する。
【００８１】
ユーザが入力装置２００を把持した状態で、モーションセンサー２３０は入力装置２００の動きを感知する。第２制御部２４０は、モーションセンサー２３０に感知された入力装置２００の動きに対応して既設定された第３制御信号を生成して第２通信部２２０を通じて送信し、タッチセンサー２１０を通じるユーザの操作が行われれば、これに対応して既設定された第４制御信号を生成して第２通信部を通じて送信する。
【００８２】
ここで、第３制御信号及び第４制御信号は、前述の第１実施形態で説明した第１制御信号及び第２制御信号の説明を応用できるところ、詳しい説明を省略する。
【００８３】
一方、ディスプレイ装置１００では次のような動作が行われる。第１制御部１５０は、第１通信部１４０に第３制御信号が受信されれば、これに対応して映像の大きさを調整する。第１制御部１５０は第４制御信号が受信されれば、大きさが調整された映像に対するパンニング動作を行う。
【００８４】
このようにユーザによる入力装置２００の操作方式に対応してディスプレイ装置１００の映像表示が制御される方法に対して、以下の図８を参照してさらに具体的に説明する。図８は、入力装置２００の操作方式に対応してディスプレイ装置１００の映像表示を制御する過程を示すフローチャートである。
【００８５】
図８に示すように、入力装置２００はモーションセンサー２３０によって入力装置２００自体の動きを感知する（８１０）。ここで、入力装置２００は、特定の条件、例えば、タッチセンサー２１０がタッチされている状態で動きを感知することによって、入力装置２００又はディスプレイ装置１００の誤作動を防止することができる。一方、ディスプレイ装置１００は所定の映像を表示する（９１０）。
【００８６】
入力装置２００は、感知された動きに対応する動き情報又はモーション動作情報を生成して、ディスプレイ装置１００に送信する（８２０）。例えば、現在の入力装置２００がディスプレイ装置１００に向かう前方に所定の第２角度だけ傾いている場合、入力装置２００はこのような内容の動き情報を生成して送信する。
【００８７】
ディスプレイ装置１００は、入力装置２００から動き情報又はモーション動作情報を受信する（９２０）。ディスプレイ装置１００は、受信された動き情報に対応するように映像の大きさを調整する（９３０）。動き情報及び映像の大きさ調整の間の関係は、ディスプレイ装置１００に既保存されている。
【００８８】
例えば、入力装置２００が前方に第２角度だけ傾いていることを示す動き情報の場合、ディスプレイ装置１００は入力装置２００が傾いている方向の前方方向に対応して映像をズームアウトさせることによって大きさを大きく調整するが、入力装置２００が傾いている角度である第２角度に対応する既設定値だけ映像の拡大比率を適用する。これは一つの例示に過ぎず、動き情報及び映像の大きさ調整の間の関係は多様な設計変更を適用することができる。
【００８９】
入力装置２００は、ユーザがタッチパッドで具現されたタッチセンサー２１０に対するドラッグ動作を行ったと感知されれば（８３０）、このようなドラッグ動作に対応するドラッグ動作情報を生成してディスプレイ装置１００に送信する（８４０）。例えば、ユーザが初期タッチ位置で左側に第２移動量だけドラッグして移動した場合、入力装置２００はこのような内容のドラッグ動作情報を生成して送信する。
【００９０】
ディスプレイ装置１００は、入力装置２００からドラッグ動作情報を受信すれば（９４０）、前述のプロセスで大きさが調整された状態の映像に対するパンニング動作をドラッグ動作情報に対応するように行う（９５０）。ドラッグ動作情報及びパンニング動作の間の関係もまたディスプレイ装置１００に既保存されている。
【００９１】
例えば、ディスプレイ装置１００は、映像をドラッグ方向と同じ方向に、ドラッグ移動量に対応するように既設定された移動量だけ移動させることによってパンニング動作を行う。
【００９２】
万一、映像が縮小されることによって映像全体がディスプレイ部１３０に表示されている状態でドラッグ動作情報を受信する場合（９４０）、ディスプレイ装置１００はパンニング動作を行わないとか、またはディスプレイ部１３０の有効表示領域内で映像の位置をドラッグ動作情報に対応して移動させることもできる。
【００９３】
一方、前述の実施形態では、入力装置２００の動き情報に従って映像の大きさが調整され、タッチセンサー２１０に対するドラッグ動作に従ってパンニング動作が行われる例示に対して説明したが、設計方式に従って各動作が前述の実施形態とは反対方式の入力によって行われることもできる。即ち、タッチセンサー２１０に対するドラッグ動作に従って映像の大きさが調整され、入力装置２００の動き情報に従ってパンニング動作が行われる実施例も可能である。
【００９４】
以上のような実施形態で説明したように、入力装置２００はモーションセンサー２３０によって入力装置２００自体の動きが感知されれば、ディスプレイ装置１００に表示されている映像に対する第１条作のために入力装置２００の動きに対応する第１制御信号をディスプレイ装置１００に送信し、タッチセンサー２１０を通じてタッチが感知されれば、第１条作が行われた映像に対する第２条作のためにタッチセンサー２１０を通じるタッチに対応する第２制御信号をディスプレイ装置１００に送信する。
【００９５】
一方、ディスプレイ装置１００は、入力装置２００から受信されるモーションセンサー２３０による入力装置２００の動き情報を含む第１制御信号に対応して、表示映像に対する第１条作を行い、入力装置２００から受信されるタッチセンサー２１０によるタッチ情報を含む第２制御信号に対応して第１条作が行われた映像に対する第２条作を行う。
【００９６】
ここで、前記の第１条作及び第２条作の具体的な実施形態は、前述した実施形態の説明と同じである。
【００９７】
以下、前述した実施形態とは異なる方法で、入力装置２００を使用してディスプレイ装置１００の表示映像を制御する実施形態に対して説明する。
【００９８】
図９は本発明の第３実施形態によるディスプレイ装置１００が表示するＵＩ映像の例示図である。図９に示すように、ディスプレイ装置１００は、入力装置２００からチャンネル番号入力のためのユーザ入力を受信すれば、ユーザインターフェース（ＵＩ）としてユーザが選択可能なチャンネル番号を含むチャンネル番号目録１０３０の映像を円形で表示する。また、ディスプレイ装置１００は、入力装置２００から受信されたコマンドに基づいて、入力装置２００の入力モードを示すユーザインターフェース（ＵＩ）１０４１、１０４２を表示する。ここで、表示されるＵＩ１０４１、１０４２は、入力装置２００の現在の入力モード情報、入力モードの転換情報、所定の入力モードで入力装置２００の使用法を案内するガイド等を含むことができる。
【００９９】
ここで、入力装置２００の入力モードは、キー又はボタンのような入力部（図示せず）に対するユーザ操作によって動作する一般モード、タッチセンサー２１０に対するユーザのタッチ入力に従って動作を行うタッチモード、入力装置２００の動きによって動作を行うジェスチャー（ｇｅｓｔｕｒｅ）モードを含む。
【０１００】
チャンネル番号目録１０３０は、選択されたチャンネル１０３１で提供するコンテンツ情報１０３２をさらに表示して、ユーザのチャンネル選択の便宜を助ける。
【０１０１】
ディスプレイ装置１００は、入力装置２００の回転に対応してチャンネル番号目録１０３０を回転させる。例えば、チャンネル番号目録が円形で表示された状態で、モーションセンサー２３０が入力装置２００の時計方向への回転を感知すれば、入力装置２００は感知された回転による加速度及び角速度情報をディスプレイ装置１００に送信する。ここで、入力装置２００は、ユーザがタッチセンサー２１０をタッチした状態で入力装置２００を回転させる場合、これをチャンネル探索のための有効なモーションで感知するように既設定されることができる。
【０１０２】
図１０及び図１１は図９のチャンネル番号目録映像１０３０が時計方向又は反時計方向に回転する場合を示す例示図である。
【０１０３】
図１０に示すように、ディスプレイ装置１００は入力装置２００から受信された加速度及び角速度情報に対応して、チャンネル番号目録１０３０を時計方向に回転させる。
【０１０４】
ディスプレイ装置１００は、受信された加速度及び角速度情報に基づいて、入力装置２００の回転方向に従ってチャンネル番号目録１０３０の回転方向を調節する。即ち、図１１に示すように、ユーザが入力装置２００を反時計方向に回転させれば、ディスプレイ装置１００はチャンネル番号目録１０３０を反時計方向に回転させる。
【０１０５】
ディスプレイ装置１００は、受信された加速度及び角速度情報に基づいて、入力装置２００の回転角度に従ってチャンネル番号目録１０３０の回転速度を調節する。即ち、入力装置２００の回転角度が大きくなれば、チャンネル番号目録１０３０の回転速度も増加する。例えば、入力装置２００の回転角度が３０度である場合は、入力装置２００の回転角度が１０度である場合に比べてチャンネル番号目録１０３０が相対的に早く回転する。
【０１０６】
また、ディスプレイ装置１００は、入力装置２００の回転角度が初期回転開始角度に復帰すれば、チャンネル番号目録１０３０の回転を中止させる。
【０１０７】
例えば、ユーザが入力装置２００を初期回転開始角度０度から３０度に回転させれば、ディスプレイ装置１００は入力装置２００の回転角度の３０度に対応する速度でチャンネル番号目録１０３０を回転させる。この状態で、ユーザが入力装置２００の回転角度を初期回転開始角度である０度に復帰させれば、入力装置２００はモーションセンサー２３０を通じてこれを感知してディスプレイ装置１００に対応コマンドを送信する。そして、ディスプレイ装置１００は受信されたコマンドに従ってチャンネル番号目録１０３０の回転を中止させる。
【０１０８】
ユーザは回転が中止されたチャンネル番号目録１３０で所定のチャンネル１０３３を選択するユーザ入力を通じて該当チャンネルを選局することができる。ここで、チャンネルを選局するユーザ入力はモーションセンサー２３０により感知される入力装置２００の既設定された動き、タッチセンサー２１０に対するタッチ入力、その他の入力装置２００の多様な入力部（図示せず）の特定ボタンの選択の中で何れか一つでありうる。
【０１０９】
図１２はユーザが入力装置２００にタッチ入力を行う場合にＵＩ映像の動作を示す例示図である。図１２に示すように、ディスプレイ装置１００はタッチセンサー２１０に対するユーザのタッチ入力に従ってチャンネル番号目録１０３０を回転させることができる。具体的に、チャンネル番号目録１０３０の回転が止まった状態で、入力装置２００はタッチセンサー２１０に対する所定の方向及び距離のドラッグ動作が感知されれば、これに対応するコマンドをディスプレイ装置１００に送信する。
【０１１０】
ディスプレイ装置１００は受信されたコマンドによりチャンネル番号目録１０３０を回転させる。ここで、チャンネル番号目録１０３０の回転速度及び方向はタッチセンサー２１０に対するドラッグ距離、速度及び方向に対応する。
【０１１１】
ディスプレイ装置１００はチャンネル番号目録１０３０の動作を制御することにおいて、大きい単位の動作に対しては入力装置２００のジェスチャーモードに、小さい単位の動作に対しては入力装置２００のタッチモードに各々対応するように設定する。従って、入力装置２００のタッチモードでドラッグによるチャンネル番号目録１０３０の回転速度は、入力装置２００のジェスチャーモードで入力装置２００の動きによるチャンネル番号目録１０３０の回転速度よりゆっくり設定される。
【０１１２】
即ち、入力装置２００の動きによる回転はタッチ入力による回転より大きい単位でチャンネル番号目録１０３０を回転させる。従って、ユーザはジェスチャーモードで入力装置２００の動きによってチャンネル番号目録１０３０を大きい単位に回転させた状態（図９及び図１０に示すチャンネル番号１１−１で２３−１への回転）で、タッチモードでタッチ入力によってチャンネル番号目録１０３０を小さい単位に回転させて（図６及び図７に示すチャンネル番号２３−１から２８−１への回転）、特定チャンネル（例えば、２８−１）を選局することができる。ここで、チャンネルを選局するユーザ入力は、モーションセンサー２３０で感知される入力装置２００に対する所定のモーション、タッチセンサー２１０に対するタッチ入力、その他の入力装置２００の多様な入力部（図示せず）の特定ボタンの選択の中で何れか一つでありうる。
【０１１３】
ディスプレイ装置１００は、選局されたチャンネルに対応する映像信号を受信し、受信された映像信号を処理して映像で表示する。
【０１１４】
以下、本実施形態によるディスプレイシステムの制御方法に対して図１３及び図１４を参照して説明する。図１３及び図１４は、本実施形態によるディスプレイシステムの制御方法を示すフローチャートである。
【０１１５】
図１３に示すように、入力装置２００はタッチセンサー２１０、モーションセンサー２３０、入力部（図示せず）の中で何れか一つを通じてチャンネル番号入力のためのユーザ入力を受信する（Ｓ５０１）。
【０１１６】
入力装置２００は段階Ｓ５０１で受信されたユーザ入力に対応するコマンドをディスプレイ装置１００に送信し、ディスプレイ装置１００はユーザが選択可能なチャンネル番号目録１０３０を円形で表示する（Ｓ５０３）。
【０１１７】
ユーザは入力装置２００がジェスチャーモードで動作する状態で入力装置２００を所定の方向に回転させ、入力装置２００はこのような回転によって感知された加速度及び角速度情報をディスプレイ装置１００に送信する（Ｓ５０５）。
【０１１８】
ディスプレイ装置１００は、段階Ｓ５０５で受信された加速度及び角速度情報に対応して、円形で表示されたチャンネル番号目録１０３０を回転させる（Ｓ５０７）。ここで、入力装置２００の回転方向及び回転角度によりチャンネル番号目録１０３０の回転方向及び回転速度が調節される。また、入力装置２００の回転角度が初期回転開始角度に復帰すれば、チャンネル番号目録１０３０の回転は中止される。
【０１１９】
入力装置２００はチャンネル番号目録１０３０の回転が中止された状態で、所定のチャンネルを選局するユーザ入力を受信し、これに対応するコマンドをディスプレイ装置１００に送信する（Ｓ５０９）。
【０１２０】
ディスプレイ装置１００は、段階Ｓ５０９で選局されたチャンネルに対応する映像信号を受信及び処理して、処理された映像信号に対応する映像を表示する（Ｓ５１１）。
【０１２１】
一方、図１４に示す実施形態は、入力装置２００がジェスチャーモードだけでなくタッチモードでユーザのタッチ入力によってチャンネル番号目録１０３０が回転する点で図１３の実施形態と差がある。
【０１２２】
図１４に示すように、入力装置２００はタッチセンサー２１０、モーションセンサー２３０、入力部（図示せず）の中で何れか一つを通じてチャンネル番号入力のためのユーザ入力を受信する（Ｓ６０１）。入力装置２００は、段階Ｓ６０１で受信されたユーザ入力に対応するコマンドをディスプレイ装置１００で送信し、ディスプレイ装置１００はユーザが選択可能なチャンネル番号目録１０３０を円形で表示する（Ｓ６０３）。
【０１２３】
ユーザは入力装置２００がジェスチャーモードで動作する状態で入力装置２００を所定の方向に回転させ、入力装置２００はこのような回転によって感知された加速度及び角速度情報をディスプレイ装置１００に送信する（Ｓ６０５）。
【０１２４】
ディスプレイ装置１００は、段階Ｓ６０５の加速度及び角速度情報に対応して、円形で表示されたチャンネル番号目録１０３０を回転させる（Ｓ６０７）。ここで、段階Ｓ６０５で感知された入力装置２００の回転方向及び回転角度によりチャンネル番号目録１０３０の回転方向及び回転速度が調節される。また、入力装置２００の回転角度が初期回転開始角度に復帰すれば、チャンネル番号目録１０３０の回転は中止される。
【０１２５】
チャンネル番号目録１０３０の回転が中止された状態でユーザがタッチセンサー２１０に対するタッチ入力（例えば、所定の方向へのドラッグ）を行うと、入力装置２００は該当タッチ入力に対応するコマンドをディスプレイ装置１００に送信する。ディスプレイ装置１００は、受信されたタッチ入力に対応するようにチャンネル番号目録１０３０を回転させる（Ｓ６０９）。ユーザは段階Ｓ６０９のタッチ入力によって、チャンネル番号目録１０３０を細部的に回転させ、チャンネル選択のためにチャンネル番号目録１０３０の回転を中止させることができる。
【０１２６】
入力装置２００は、チャンネル番号目録１０３０の回転が中止された状態で、所定のチャンネルを選局するユーザ入力が行われると、これに対応するコマンドをディスプレイ装置１００に送信する（Ｓ６１１）。
【０１２７】
ディスプレイ装置１００は段階Ｓ６１１で選局されたチャンネルに対応する映像信号を受信及び処理して、処理された映像信号に対応する映像を表示する（Ｓ６１３）。
【０１２８】
このように、本発明の実施形態によれば、チャンネル番号目録１０３０をアナログＴＶで使用されたロータリー形態の回転可能な形状で表示して、ユーザに直観的で親近感を与えることができる。また、入力装置２００を回転させる簡単な動作によりチャンネル番号目録１０３０を早く回転させるので、ユーザの操作便宜が向上される。また、入力装置２００の回転方向、角度等をチャンネル番号目録１０３０の回転方向、回転速度にそのまま反映するので、モーション入力に熟しないユーザも使用に困難がないだけでなく操作に対する面白味を与えることができる。
【０１２９】
以上、多様な実施形態を通じて本発明に対して図示し説明したが、本発明はこれに限定されず、本発明の属する技術分野の通常の知識を有する人なら本発明の原則や精神に外れなく本発明の一実施形態を変形し得ることを分かることができる。発明の範囲は、特許請求の範囲とその均等物によって定まれる。
【符号の説明】
【０１３０】
１      ディスプレイシステム
１００  ディスプレイ装置
１１０  映像受信部
１２０  映像処理部
１３０  ディスプレイ部
１４０  第１通信部
１５０  第１制御部
２００  入力装置
２１０  タッチセンサー
２２０  第２通信部
２３０  モーションセンサー
２４０  第２制御部
【図１】
2013143775.tif 000003
【図２】
2013143775.tif 000004
【図３】
2013143775.tif 000005
【図４】
2013143775.tif 000006
【図５】
2013143775.tif 000007
【図６】
2013143775.tif 000008
【図７】
2013143775.tif 000009
【図８】
2013143775.tif 000010
【図９】
2013143775.tif 000011
【図１０】
2013143775.tif 000012
【図１１】
2013143775.tif 000013
【図１２】
2013143775.tif 000014
【図１３】
2013143775.tif 000015
【図１４】
2013143775.tif 000016